(57)【要約】【課題】機関出力要求の増大に伴い吸気バルブの最大リフト量及び作動角を大として吸入空気量を多くするとき、機関出力の増大に遅れが生じるのを抑制する。【解決手段】電子制御装置２６は、可変動弁機構１４の制御を通じて吸入空気量を調節するエンジン１に適用され、同エンジン１に対する出力要求が増大するときに吸気バルブ９の作動角が増大するよう可変動弁機構１４を制御する。電子制御装置２６は、吸気バルブ９の閉弁時期が吸気下死点前にある状態でエンジン１に対する出力要求が増大したときであって、吸気バルブ９の閉弁時期が吸気下死点となる時期を跨いで変更されるときは、吸気バルブ９の閉弁時期が吸気下死点となる時期を跨がないで変更されるときに比べて、吸気バルブ９の閉弁時期の変更速度を大きくする。【選択図】図１
2010025124.tif 000002
【特許請求の範囲】
【請求項１】
ノッキング抑制のための点火時期遅角が行われるとともに、吸気バルブの作動角を可変とする可変動弁機構の制御を通じて吸入空気量を調節する内燃機関に適用され、同機関に対する出力要求が増大するときに前記吸気バルブの作動角が増大するよう前記可変動弁機構を制御する内燃機関の制御装置において、
前記吸気バルブの閉弁時期が吸気下死点前にある状態で内燃機関に対する出力要求が増大したとき、前記吸気バルブの閉弁時期が吸気下死点となる時期を跨いで変更され、
前記吸気バルブの閉弁時期が吸気下死点となる時期を跨いで変更されるときは、前記吸気バルブの閉弁時期が吸気下死点となる時期を跨がないで変更されるときに比べて、前記吸気バルブの閉弁時期の変更速度を大きくする
ことを特徴とする内燃機関の制御装置。
【請求項２】
前記吸気バルブの閉弁時期が吸気下死点となる時期を跨いで変更されるときは、前記吸気バルブの閉弁時期が吸気下死点となる時期を跨がないで変更されるときに比べて、前記吸気バルブの閉弁時期が吸気下死点を含む所定範囲の時期に存在する期間が短くなるように、前記吸気バルブの閉弁時期の変更速度を大きくする請求項１に記載の内燃機関の制御装置。
【請求項３】
ノッキング抑制のための点火時期遅角が行われるとともに、吸気バルブの作動角を可変とする可変動弁機構の制御を通じて吸入空気量を調節する内燃機関に適用され、同機関に対する出力要求が増大するときに前記吸気バルブの作動角が増大するよう前記可変動弁機構を制御する内燃機関の制御装置において、
前記吸気バルブの閉弁時期が吸気下死点前にある状態で内燃機関に対する出力要求が増大したとき、前記吸気バルブの閉弁時期が吸気下死点を含む所定範囲の時期に維持されることを禁止する
ことを特徴とする内燃機関の制御装置。
【請求項４】
前記吸気下死点を含む所定範囲の時期は、ノッキングが発生する時期である請求項２または請求項３に記載の内燃機関の制御装置。
【発明の詳細な説明】
【技術分野】
【０００１】
本発明は、内燃機関の制御装置に関するものである。
【背景技術】
【０００２】
従来より、自動車用エンジン等の内燃機関においては、通常は最も高い機関出力の得られる点火時期とし、ノッキングが生じたときには点火時期の遅角により燃焼室の温度を下げて同ノッキングを抑制するという点火時期制御がなされる。
【０００３】
また、内燃機関においては、機関出力要求が大になるほど、その要求を満たすべく燃焼室に充填される燃料及び空気の量を多くする必要がある。このため、機関出力要求に応じて吸気通路に設けられたスロットルバルブの開度を調整し、内燃機関の吸入空気量を調節することが行われている。
【０００４】
しかし近年は、こうした吸入空気量の調整を吸気通路に設けられたスロットルバルブの開度調節によって行う代わりに、吸気バルブの最大リフト量及び作動角を可変とすることによって行うことも考えられている。なお、上記最大リフト量及び作動角の可変を実現する具体的な機構としては、例えば特許文献１に示される可変動弁機構をあげることができる。この可変動弁機構は、吸気バルブの最大リフト量と作動角とを互いに同期して変更し、例えば作動角が大きくなるほど最大リフト量も大きくするよう駆動されるものである。こうした可変動弁機構の駆動による吸入空気量の調整では、機関出力要求の大きさに基づき上記最大リフト量及び作動角の目標値が算出される。そして、その目標値に向けて最大リフト量及び作動角が近づくよう可変動弁機構が駆動され、これにより吸入空気量が機関出力要求に対応した値へと調節される。
【０００５】
なお、上記目標値については例えば機関出力要求が小から大へと変化するにつれて大とされる。このように変化する目標値に向けて最大リフト量及び作動角を変化させることで、機関出力要求が大となるほど吸入空気量が増大させられる。また、上記目標値を算出する際には、機関出力要求の大きさだけでなく、そのときの実際の吸入空気量も加味される。これにより、目標値に向けて変更される最大リフト量及び作動角が、必要な吸入空気量を得る上で適切な値となるようにしている。
【先行技術文献】
【特許文献】
【０００６】
【特許文献１】特開２００１−２６３０１５号公報
【発明の概要】
【発明が解決しようとする課題】
【０００７】
ところで、上記可変動弁機構の駆動による上記最大リフト量及び作動角の変更を通じて吸入空気量を調節する場合、アイドル運転時など機関出力要求の小さい低負荷運転時には、最大リフト量及び作動角が小とされて吸気バルブの閉弁時期が吸気下死点よりも前の時期となる。この状態にあって、加速などのために機関出力要求が増大すると、その機関出力要求の大きさに基づき最大リフト量及び作動角の目標値が大きくされる。なお、このときの目標値の増大については、徐々に増加してゆく実際の吸入空気量を加味して当該目標値の算出が行われることから、その実際の吸入空気量の変化態様に対応して徐々に行われることとなる。そして、上記目標値に対応して最大リフト量及び作動角が徐々に大きくなるよう可変動弁機構が駆動されることで、機関出力要求が増大する過程において、当該機関出力要求の大きさに応じた吸入空気量が得られるようになる。
【０００８】
ただし、上記のような低負荷運転状態からの機関出力要求の増大によって最大リフト量及び作動角が徐々に大きくなるときには、その作動角の拡大に伴い吸気バルブの閉弁時期が吸気下死点前から吸気下死点後へと徐々に変化することになる。ここで、吸気バルブの閉弁時期が吸気下死点付近にあるときには、実圧縮比が高くなることからノッキングが発生して点火時期が遅角されるということが比較的高い頻度で生じる。従って、上記のように、吸気バルブの作動角の拡大に伴い吸気バルブの閉弁時期が吸気下死点前から吸気下死点後へと徐々に変化すると、その変化の過程でノッキングが発生してノッキング抑制のための点火時期の遅角が行われる頻度が高くなり、当該点火時期遅角の分だけ機関出力の増大が遅れるおそれがある。
【０００９】
本発明はこのような実情に鑑みてなされたものであって、その目的は、機関出力要求の増大に伴い吸気バルブの最大リフト量及び作動角を大として吸入空気量を多くするとき、機関出力の増大に遅れが生じるのを抑制することのできる内燃機関の制御装置を提供することにある。
【課題を解決するための手段】
【００１０】
以下、上記目的を達成するための手段及びその作用効果について記載する。
（１）請求項１に記載の発明は、ノッキング抑制のための点火時期遅角が行われるとともに、吸気バルブの作動角を可変とする可変動弁機構の制御を通じて吸入空気量を調節する内燃機関に適用され、同機関に対する出力要求が増大するときに前記吸気バルブの作動角が増大するよう前記可変動弁機構を制御する内燃機関の制御装置において、前記吸気バルブの閉弁時期が吸気下死点前にある状態で内燃機関に対する出力要求が増大したとき、前記吸気バルブの閉弁時期が吸気下死点となる時期を跨いで変更され、前記吸気バルブの閉弁時期が吸気下死点となる時期を跨いで変更されるときは、前記吸気バルブの閉弁時期が吸気下死点となる時期を跨がないで変更されるときに比べて、前記吸気バルブの閉弁時期の変更速度を大きくすることを要旨とする。
【００１１】
上記構成によれば、機関出力の増大の遅れについて、吸気バルブの閉弁時期の吸気下死点前から吸気下死点後への変更を速やかなものとし、その変更過程でノッキングを発生させないようにすることで抑制することができる。
【００１２】
（２）請求項２に記載の発明は、請求項１に記載の内燃機関の制御装置において、前記吸気バルブの閉弁時期が吸気下死点となる時期を跨いで変更されるときは、前記吸気バルブの閉弁時期が吸気下死点となる時期を跨がないで変更されるときに比べて、前記吸気バルブの閉弁時期が吸気下死点を含む所定範囲の時期に存在する期間が短くなるように、前記吸気バルブの閉弁時期の変更速度を大きくすることを要旨とする。
【００１３】
（３）請求項３に記載の発明は、ノッキング抑制のための点火時期遅角が行われるとともに、吸気バルブの作動角を可変とする可変動弁機構の制御を通じて吸入空気量を調節する内燃機関に適用され、同機関に対する出力要求が増大するときに前記吸気バルブの作動角が増大するよう前記可変動弁機構を制御する内燃機関の制御装置において、前記吸気バルブの閉弁時期が吸気下死点前にある状態で内燃機関に対する出力要求が増大したとき、前記吸気バルブの閉弁時期が吸気下死点を含む所定範囲の時期に維持されることを禁止することを要旨とする。
【００１４】
（４）請求項４に記載の発明は、請求項２または請求項３に記載の内燃機関の制御装置において、前記吸気下死点を含む所定範囲の時期は、ノッキングが発生する時期であることを要旨とする。
【図面の簡単な説明】
【００１５】
【図１】本実施形態の制御装置が適用されるエンジン全体を示す略図。
【図２】可変動弁機構の駆動に基づく吸気バルブの最大リフト量及び作動角の変化態様を示すグラフ。
【図３】吸気バルブの開弁態様を示す説明図。
【図４】（ａ）及び（ｂ）は、目標値ＬＴの変化態様、及び、その目標値ＬＴの変化に伴う吸気バルブの閉弁時期の変化態様を示すタイムチャート。
【図５】吸気バルブの開弁態様を示す説明図。
【図６】（ａ）及び（ｂ）は、目標値ＬＴの変化態様、及び、その目標値ＬＴの変化に伴う吸気バルブの閉弁時期の変化態様を示すタイムチャート。
【図７】吸入空気量の制御手順を示すフローチャート。
【発明を実施するための形態】
【００１６】
以下、本発明を自動車用の火花点火式エンジンに適用した一実施形態について、図１〜図７に基づき説明する。
図１に示されるエンジン１においては、燃焼室２に吸気通路３を通じて空気が吸入されるとともに、燃料噴射弁４から直接燃料が噴射供給される。この空気と燃料とからなる混合気に対し点火プラグ５による点火が行われると、同混合気が燃焼してピストン６が往復移動し、エンジン１の出力軸であるクランクシャフト７が回転する。そして、燃焼後の混合気は排気として燃焼室２から排気通路８に送り出される。
【００１７】
エンジン１において、燃焼室２と吸気通路３との間は吸気バルブ９の開閉動作によって連通・遮断され、燃焼室２と排気通路８との間は排気バルブ１０の開閉動作によって連通・遮断される。これら吸気バルブ９及び排気バルブ１０は、クランクシャフト７の回転が伝達される吸気カムシャフト１１及び排気カムシャフト１２の回転に伴い開閉動作するようになる。
【００１８】
吸気カムシャフト１１と吸気バルブ９との間には、同バルブ９の最大リフト量及び作動角（吸気バルブ９を開閉させる吸気カム１１ａの作用角）を可変とすべく、電動モータ１５によって駆動される可変動弁機構１４が設けられている。可変動弁機構１４の駆動による吸気バルブ９の最大リフト量及び作動角の変更態様を図２に示す。同図から分かるように、吸気バルブ９の最大リフト量と作動角とは、互いに同期して変化するものであって、例えば作動角が大きくなるほど最大リフト量も大きくなってゆく。この作動角が大きくなるということは、吸気バルブ９の閉弁時期と遅角側に移行するということを意味する。
【００１９】
こうしたエンジン１の各種制御は、自動車に搭載された電子制御装置２６によって実施される。電子制御装置２６は、エンジン１の制御にかかる演算処理を実行するＣＰＵ、その制御に必要なプログラムやデータの記憶されたＲＯＭ、ＣＰＵの演算結果が一時的に記憶されるＲＡＭ、外部との間で信号を入・出力するための入・出力ポート等を備えて構成されている。
【００２０】
電子制御装置２６の入力ポートには、以下に示す各種センサが接続されている。
・自動車の運転者によって踏み込み操作されるアクセルペダル２７の踏み込み量（アクセル踏込量）を検出するアクセルポジションセンサ２８。
【００２１】
・吸気通路３に設けられたスロットルバルブ２９の開度（スロットル開度）を検出するスロットルポジションセンサ３０。
・エンジン１でのノッキング発生の有無を検出するノックセンサ３１。
【００２２】
・吸気通路３を通じて燃焼室２に吸入される空気の量を検出するエアフローメータ３２。
・クランクシャフト７の回転に対応する信号を出力し、エンジン回転速度の算出等に用いられるクランクポジションセンサ３４。
【００２３】
・カムの回転位置に対応した信号を出力するカムポジションセンサ３５。
電子制御装置２６の出力ポートには、燃料噴射弁４、点火プラグ５、電動モータ１５、及び、スロットルバルブ２９の駆動回路が接続されている。
【００２４】
そして、電子制御装置２６は、上記各種センサから入力した検出信号に基づきエンジン運転状態を把握し、その把握したエンジン運転状態に応じて上記出力ポートに接続された各種駆動回路に指令信号を出力する。こうして燃料噴射弁４からの燃料噴射量の制御、点火プラグ５の点火時期の制御、吸気バルブ９の最大リフト量及び作動角の制御、及び、スロットルバルブ２９の開度制御等が電子制御装置２６を通じて実施される。
【００２５】
エンジン１の点火時期制御では、通常は最も高いエンジン出力の得られる点火時期への調整が行われ、ノッキングが生じたときには同ノッキング抑制のために点火時期を遅角させることが行われる。この点火時期制御により、エンジン出力をできる限り高い状態に維持しつつ、ノッキングの発生を抑制することができるようになる。
【００２６】
また、エンジン１の燃料噴射量制御については、１サイクル中に吸気通路３から燃焼室２に吸入される空気の量に対応した燃料を燃料噴射弁４から噴射させるよう、同燃料噴射弁４を駆動することによって実現される。このため、エンジン１においては、その吸入空気量を多くするほど、燃焼室２に供給される燃料及び空気の量が多くなり、エンジン１の出力が高められるようになる。
【００２７】
ちなみに、本実施形態のエンジン１では、通常はスロットルバルブ２９が全開状態に保
持され、可変動弁機構１４の駆動による吸気バルブ９の最大リフト量及び作動角の調整を通じて吸入空気量が調節される。従って、アクセル踏込量が大きくなってエンジン１に対する出力要求が大となるほど、上記最大リフト量及び作動角が大きくされ、上記要求に対応したエンジン出力が得られるよう吸入空気量が増加させられる。
【００２８】
次に、エンジン１の吸入空気量を調節するための可変動弁機構１４の駆動制御について詳しく説明する。
可変動弁機構１４の駆動制御には、吸気バルブ９の最大リフト量及び作動角の目標値が用いられる。なお、吸気バルブ９の最大リフト量及び作動角は上述したように互いに同期して変化するため、ここでは可変動弁機構１４を駆動制御するための目標値として最大リフト量の目標値ＬＴが用いられる。
【００２９】
この目標値ＬＴは、エンジン１に対する出力要求の大きさ、より具体的にはアクセル踏込量の大きさに基づき算出され、そのアクセル踏込量（出力要求）が大となるほど大きい値とされる。そして、上記のように算出される目標値ＬＴに向けて最大リフト量が近づくよう可変動弁機構１４が駆動制御される。これにより、アクセル踏込量（出力要求）に対応した吸入空気量が得られるよう、吸気バルブ９の最大リフト量及び作動角が調整されることとなる。
【００３０】
また、上記目標値ＬＴを算出する際には、アクセル踏込量（出力要求）だけでなく、そのときの実際の吸入空気量も加味される。このように実際の吸入空気量を加味して目標値ＬＴの算出を行うことにより、その目標値ＬＴに向けて変更される最大リフト量と、それに同期して変化する作動角とが、必要な吸入空気量を得る上で適切な値となるようにしている。
【００３１】
ところで、可変動弁機構１４の駆動による吸気バルブ９の最大リフト量及び作動角の変更を通じて吸入空気量を調節する場合、アイドル運転時などエンジン１に対する出力要求の小さい低負荷運転時には、必要とされる吸入空気量が少ないことから上記目標値ＬＴが小とされ、それに基づき最大リフト量及び作動角も小とされる。図３は、このときの吸気バルブ９の開弁態様を示すものである。同図から分かるように、当該吸気バルブ９の閉弁時期は、上記作動角の縮小に伴い、吸気下死点（ＢＤＣ）よりも前（タイミングｔＣ１）になる。
【００３２】
この状態にあって、加速などのためにエンジン１に対する出力要求が増大すると、その出力要求の大きさ及び実際の吸入空気量に基づき目標値ＬＴが図４（ａ）に示されるように徐々に大きくされ、その目標値ＬＴに対応して最大リフト量及び作動角が徐々に大きくなるよう可変動弁機構１４が駆動される。なお、エンジン１に対する出力要求が増大する過程において、目標値ＬＴが徐々に大きくされるのは、最大リフト量及び作動角の拡大に対して実際の吸入空気量の増大が徐々に行われ、その実際の吸入空気量を加味して当該目標値ＬＴを算出しているためである。このように算出される目標値ＬＴに基づき可変動弁機構１４を駆動することにより、エンジン１に対する出力要求が増大する過程において、当該出力要求の大きさに応じた吸入空気量が得られるようになる。
【００３３】
ただし、上記のような低負荷運転状態からエンジン１への出力要求の増大によって最大リフト量及び作用角が大きくなるときには、作動角が例えば図３に破線で示される状態へと拡大し、それに伴い吸気バルブ９の閉弁時期が図４（ｂ）に示されるように吸気下死点前の時期（ｔＣ１）から吸気下死点後の時期（ｔＣ２）へと徐々に変化することとなる。ここで、吸気バルブ９の閉弁時期が吸気下死点付の範囲Ｈ内にあるときには、実圧縮比が高くなることからノッキングが発生して点火時期が遅角されるということが比較的高い頻度で生じる。従って、上記のように、吸気バルブ９の作動角の拡大に伴い吸気バルブ９の閉弁時期が吸気下死点前の時期（ｔＣ１）から吸気下死点後の時期（ｔＣ２）へと徐々に変化すると、吸気バルブ９の閉弁時期が上記範囲Ｈ内に存在する期間Ｍが長くなり、この期間Ｍにおいてノッキング抑制のための点火時期遅角が頻繁に行われることとなる。その結果、当該点火時期遅角の分だけエンジン１の出力増大が遅れることは避けられなくなる。
【００３４】
そこで本実施形態では、吸気バルブ９の閉弁時期が吸気下死点前にある状態でエンジン１に対する出力要求が増大したとき、目標値ＬＴを実際の吸入空気量に関係なく吸気バルブ９の閉弁時期が吸気下死点後であって同下死点から離れた時期、例えば図５のタイミングｔＣ３となる値に一気に変更する。こうした目標値ＬＴの変更、及び、それに伴う吸気バルブ９の閉弁時期の変化を図６に示す。
【００３５】
目標値ＬＴが上記のように一気に変更されて図６（ａ）に示されるように推移したとすると、その目標値ＬＴに基づき可変動弁機構１４が駆動され、吸気バルブ９の最大リフト量が当該目標値ＬＴに向けて最大速度で近づけられる。その結果、吸気バルブ９の閉弁時期が図６（ｂ）に示されるように吸気下死点前の時期（ｔＣ１）から吸気下死点後の時期（ｔＣ３）へと速やかに変更され、当該変更過程において吸気バルブ９の閉弁時期が上述した範囲Ｈ内に存在する期間Ｍを極力短くすることができる。従って、その期間Ｍにてノッキングを発生させないようにすることができ、同ノッキングの抑制のための点火時期遅角に起因してエンジン１の出力増大が遅れるのを抑制することができる。
【００３６】
次に、エンジン１における吸入空気量の制御手順について、吸入空気量制御ルーチンを示す図７のフローチャートを参照して説明する。この吸入空気量制御ルーチンは、電子制御装置２６を通じて、例えば所定時間毎の時間割り込みにて実行される。
【００３７】
同ルーチンにおいては、まず、吸気バルブ９の閉弁時期が吸気下死点前にある状態からのエンジン出力要求の増大があったか否かを判断するためのフラグＦが「０（増大なし）」であるか否かが判断される（Ｓ１０１）。ここで肯定判定であれば、上記のような出力要求の増大が生じているか否かを判断するためのステップＳ１０２，Ｓ１０３の処理が実行される。即ち、ステップＳ１０２では、吸気バルブ９の閉弁時期が吸気下死点前の時期、例えば同下死点前１０°よりも前の時期であるか否かが判断される。続いて、ステップＳ１０３では、アクセル踏込量が増大側に変化したか否かに基づき、エンジン１に対する出力要求が増大したか否かが判断される。
【００３８】
これらステップＳ１０２とステップＳ１０３とのいずれかの処理で否定判定がなされた場合には、吸気バルブ９の閉弁時期が吸気下死点前にある状態でエンジン１に対する出力要求が増大するという状況ではないことになる。従って、このときには、エンジン１に対する出力要求の大きさ及び実際の吸入空気量に基づき目標値ＬＴを算出し、その目標値ＬＴに基づき可変動弁機構１４を駆動制御するという通常の吸入空気量制御が実行される（Ｓ１１０）。
【００３９】
一方、ステップＳ１０２とステップＳ１０３との両方で肯定判定であれば、吸気バルブ９の閉弁時期が吸気下死点前にある状態でエンジン１に対する出力要求が増大する状況ということになる。従って、このときには、フラグＦが「１（増大あり）」に設定され（Ｓ１０４）、吸気バルブ９の閉弁時期が吸気下死点後であって同下死点から離れた時期となるよう目標値ＬＴが設定される（Ｓ１０５）。なお、このように目標値ＬＴを一気に変更したときの値、即ち吸気バルブ９の閉弁時期が吸気下死点から離れた時期となる値としては、その目標値ＬＴに吸気バルブ９の最大リフト量が達したとき、ノッキング発生のおそれのない程度に圧縮比が低くなるような値に設定することが好ましい。例えば、こうした値として、吸気バルブ９の閉弁時期が吸気下死点後３０°となるような値を採用することができる。そして、ステップＳ１０６では、上記のように設定された目標値ＬＴに向けて最大リフト量が最大速度で近づくよう可変動弁機構１４が駆動制御される。
【００４０】
このように可変動弁機構１４を駆動制御することで、吸気バルブ９の閉弁時期が吸気下死点前から吸気下死点後へと変化する期間を極力短くして当該期間中にノッキングが発生しないようにすることができ、同ノッキング抑制のための点火時期遅角に起因してエンジン１の出力増大が遅れるのを抑制することができる。しかし、上述したように目標値ＬＴを実際の吸入空気量を加味することなく吸気バルブ９の閉弁時期が吸気下死点後３０°の時期となる値に一気に変更し、その目標値ＬＴに向けて最大リフト量を変更すると、エンジン１の吸入空気量が過多になるおそれがある。こうした吸入空気量の過多を抑制するため、続くステップＳ１０７では、スロットルバルブ２９が全開よりも閉じ側の開度領域にてエンジン１の吸入空気量が必要量となるよう開度調整される。
【００４１】
なお、フラグＦが「１（増大あり）」に設定され、目標値ＬＴが一気に変更された後、エンジン回転速度が安定すると（Ｓ１０８：ＹＥＳ）、フラグＦが「０（増大なし）」に設定される。このようにフラグＦが「０」に設定されると、ステップＳ１０２で肯定判定、及び、続くステップＳ１０２で否定判定がなされるようになり、通常の吸入空気量制御が行われることとなる（Ｓ１１０）。
【００４２】
以上詳述した本実施形態によれば、以下に示す効果が得られるようになる。
（１）吸気バルブ９の閉弁時期が吸気下死点前にある状態でエンジン１に対する出力要求が増大したとき、吸気バルブ９の最大リフト量の目標値ＬＴは、実際の吸入空気量を加味することなく、同バルブ９の閉弁時期を吸気下死点後であって同下死点から離れた時期とする値に一気に変更される。この場合、上記目標値ＬＴに基づき可変動弁機構１４を駆動制御することで、吸気バルブ９の閉弁時期の吸気下死点前から吸気下死点後への変化を速やかなものとし、当該変化の過程において吸気バルブ９の閉弁時期が吸気下死点付の範囲Ｈ内に存在する期間Ｍを極力短くすることができる。従って、その期間Ｍにてノッキングを発生させないようにすることができ、同ノッキングの抑制のための点火時期遅角に起因してエンジン１の出力増大が遅れるのを抑制することができる。
【００４３】
（２）上述したように目標値ＬＴを一気に変更し、その目標値ＬＴに対応して吸気バルブ９の最大リフト量を変更すると、エンジン１の吸入空気量が過多になるおそれがある。しかし、上述したように目標値ＬＴを一気に変更したときには、スロットルバルブ２９の全開よりも閉側の開度領域での開度調整が行われ、これによりエンジン１の吸入空気量を必要量として、上記吸入空気量の過多が生じないようにすることができる。
【００４４】
なお、上記実施形態は、例えば以下のように変更することもできる。
・吸気バルブ９の閉弁時期が吸気下死点前であるか否かの判断として、吸入空気量制御ルーチン（図７）のＳ１０２では、吸気バルブ９の閉弁時期が吸気下死点前１０°よりも前の時期であるか否かを判断したが、この「吸気下死点前１０°」という値を適宜変更してもよい。
【００４５】
・吸気バルブ９の閉弁時期が吸気下死点後であって同下死点から離れた値となるよう目標値ＬＴを一気に変更したときの値として、吸入空気量制御ルーチン（図７）のＳ１０５では、吸気バルブ９の閉弁時期が吸気下死点後３０°となるような値を採用したが、この「吸気下死点後３０°」以外の値となる目標値ＬＴを採用してもよい。
【符号の説明】
【００４６】
１…エンジン、２…燃焼室、３…吸気通路、４…燃料噴射弁、５…点火プラグ、６…ピストン、７…クランクシャフト、８…排気通路、９…吸気バルブ、１０…排気バルブ、１１…吸気カムシャフト、１１ａ…吸気カム、１２…排気カムシャフト、１４…可変動弁機構、１５…電動モータ、２６…電子制御装置、２７…アクセルペダル、２８…アクセルポジションセンサ、２９…スロットルバルブ、３０…スロットルポジションセンサ、３１…ノックセンサ、３２…エアフローメータ、３４…クランクポジションセンサ、３５…カムポジションセンサ。
【図１】
2010025124.tif 000003
【図２】
2010025124.tif 000004
【図３】
2010025124.tif 000005
【図４】
2010025124.tif 000006
【図５】
2010025124.tif 000007
【図６】
2010025124.tif 000008
【図７】
2010025124.tif 000009